(57)【要約】【課題】紙パックの接着封止で組立られた開口部の注ぎ口は、開口に握力の弱い老齢者や爪を伸ばした若い女性には困難が伴うが、強い力を必要とせずに容易に開口し注ぎ口を引き出すことができる紙パック容器を提供する。【解決の手段】容器上端部四辺を内側に折り曲げ合掌造りに上端を接着貼合わせた一辺に、折り畳んで内蔵された注ぎ口の上端を超した長さと幅の有る切り込みで剥離部を設け、他辺に剥離部と対面する切削部との段差を用い剥離部を適度な角度に剥離する。剥離即ち接着面の減少は開口部の開口を容易にし、同時に内蔵されていた注ぎ口が露出され密着する注ぎ口上端を指先で摘まみ容易に引き出すことができる。【選択図】    図  ６
2006248607.tif 000002
【特許請求の範囲】
【請求項１】
飲料用紙パックの二重構造に貼合する折畳形状の注ぎ口の開口に資する、一面に切込剥離部を設け他面を押出す機能を、容器上端貼合部に設けたことを特徴とする飲料用紙パック容器。
【請求項２】
製箱の接着を高年令層を対象に筋力の衰えを擁護する強弱を施し、注ぎ口の開口を容易にしたことを特徴とする飲料用紙パツク容器。
【発明の詳細な説明】
【技術分野】
【０００１】本発明は、紙製包装容器に関するものである。
【背景技術】
【０００２】従来、紙製包装容器を紙パックの名称で拡く大量に使用され、特に牛乳やジュース類などの飲料には必需なもので有るが、使用に当たって各種な難点が在り、不便解消の為に幾多の発明や新案が出願されている。文献的には例えば、特開平１１−７０９３５号広報には、注ぎ口の開口を容易にするため、注ぎ口の内面紙を折返し間隙に指を入れて引き出し、注ぎ口に指が接触せず衛生的である、又、実用新案登録第３０９６１２５号広報には、開口部に翼を設け翼を引張って直接注ぎ口に指が触れず衛生的に開口する方法が記載されている。
【特許文献１】  特開平１１−７０９３５号広報
【特許文献２】  実用新案登録第３０９６１２５号広報
【発明の開示】
【発明が解決しようとする課題】
【０００３】上記の特許文献は衛生問題を主題とした開口の出願であり、これら文献以外にも類似主眼の出願が多数有る。注ぎ口に全く手を触れず注ぎ口の周囲に紐を付け、紐を引っ張って衛生的に開口するものも有る。【０００４】多数の出願の大概は、若・壮年を基礎的に対象として有り、握力や感覚は万全で有ることを前提で研究考案されている。本発明は衰えた握力・視力・感覚となった若・壮年者には理解し難い高年令の消費利用者を対象にしたものである。【０００５】従前は家族制の充実から老年に至れば、若年の家族が多面で保護補助を行ったが、近来に於ては年令層別に分住し働力補助はほとんど無い実状であるうえ、健康改善で長寿が進み老年家族の増加が一般的となっている。【０００６】老年家族も、牛乳、フルーツジース、健康茶などを日常的に利用消費していて、その容器は一般の若・壮年層と同様の紙パックに収納されたものを用い何ら保護されていない。
高齢者即ちシルバー族は毎日紙パックを使用しながら、若・壮年層でも苦渋する開口問題ををもつ容器を使用し、若・壮年に倍加する難渋を感じながら適応品を選択する余地のない、唯一単式機構の現在の紙パックを使用しているが、本問題は万人が最終絶対的に到達に至る衰え問題であり放置されてはならない問題である。【０００７】使用に当たり問題となる難関とは握力、神経、視力の劣化による困難である。具体的に表記すれば第一難関は注ぎ口部の左右開放（オープン）に必要な接着破壊の握力の劣りで、力が不足し開放に困窮することである、第二に左右に開く折畳状態の注ぎ口部の先端となる間隙の発見が、３Ｃ面と３Ａ面の接着が強く亦接着を強める為の接着液横溢から、間隙計画部までもが接着されていることが多く、劣った注意と視力が発見を困難とすることである。【０００８】本発明は時代の経過と共に増加し続ける老令シルバー族用の紙パックの提案であり、従来の製造工程に順応する作業或は部品を用いて所要の目的を達成するもので、経済的にも加重されずに実施できるものである。。
【課題を解決するための手段】
【０００９】紙パックは破損に耐えられる肉厚の紙質で、四面正方形に構成された底のある箱型で、上部が２面を合掌造りに貼合わせた形態である。
飲料注出には合掌造りの一端の２重に接着された合掌三角形に指を入れ、注ぎ口が折畳まれた部分の接着を破壊する状態で、指に力を入れ左右に圧し開き平板状にする。【００１０】平板面には底部面と上部面の２層が重貼され、接着面に接着と非接着の分別が設計計画では区分されているが、現実は多々強力な接着液と強力な接着圧力で、接着と非接着の区分が明確でなく貼合されていて、非接着の注ぎ口を発見摘出がシルバー層には非常に難題の作業となっている。【００１１】注ぎ口空隙を発見後も難題は継続される、それは空隙が漏失防止のため狭小で有ることで、狭小のため先の尖った道具を差入れ拡大したり、拡大した処に指を入れ引き出している。【００１２】本発明はこれらの難題を解決するため、平板面の底部面の適所に切り込みを用い、剥離し折れ曲がるオープン用切込部を設け、折り曲げて創出した空隙から上部面を押し出し間隔を拡大し注ぎ口を取り出し易くする。
【発明の効果】
【００１３】シルバー用紙パックの包装箱上部の合掌貼合壁に、オープン切込部を色彩表示で確認を高めれば効果的であり、切込部を剥離した空間から貼合他面を押し離す動作はシルバーと雖も容易である。本発明のオープン用切込装置は、従来の紙パック製作工程に大きな工程変化や増加は無く、また設備資金の追加も必要とせずに採用可能で、最も適宜な方法である。
【発明を実施するための最良の形態】
【００１４】次に、本発明の実施の形態について、図面を参照しながら説明する。
【実施例１】図１は、本実施例に係る紙製シルバーパック容器１の斜視図である。
紙製シルバーパック容器１は、四面正方形で底の有る箱型で、箱１上端で２面の面を合掌形状に重貼部６で貼合せ、重貼部６に点線切込みのある３Ａ・３Ｃ面を持ち、切込みに沿って紙面を剥離し注ぎ口２を容易に引き出すオープン切込剥離部５を備える。【００１５】図２は、紙製シルバーパック容器１の平面展開図である。
四面の内３Ｄ面は上端を短縮３Ｄａする。３Ａと３Ｃ上端を合掌形状に組み重貼すると３Ｂ面が折り目７で折半され重合して肉厚となり、３Ｄを同じく折り目７で折半して重合し、３Ｂ・３Ｄを並列で重貼６すれば接合部に間隙が発生し漏出の恐れがあるので、３Ｄを短縮して半減を図る。容器３Ａ・３Ｃの上端適宜部に剥離に適した点線切込を上下に施したオープン切込剥離部５を設ける。切込部５は指先が入る幅をもち点線式切込を用い、剥離して前方又は手前に動かし注ぎ口２を引き出す起動とする。【００１６】図３Ａは、容器表面接着強弱展開図である。
接着の強弱を示すパック容器正面展開図で、内容液漏出防止は重要であるが、本発明が対象とする老令シルバー層は非力である為に漏出防止の接着を最低限界に止め、部位により強弱のある接着を施すものとする。強弱の区分は注ぎ口２の引き出しに関連する部位は、接着液を希薄９又は弱く或は狭幅９にし、３Ｂ表面上部９及び裏面３Ａ・３Ｂ・３Ｃの接着９は注ぎ口衛生保護と埃侵入防止の貼付で、上段は接着で接着幅を狭くした狭幅接着９で注ぎ口折畳部４及びオープン切込剥離部５に用い、強度接着の広幅接着８は漏出防止を重点として用いる。【００１７】図３Ｂは、容器内面接着強弱展開図である。
パツク容器の内面の接着強弱を示し、表面と同じく上部を保護接着９で下段及び３Ａ・３Ｃ・３Ｄを広幅接着に接着する。【００１８】図４は、注ぎ口折畳部表面斜視図である。
３Ａ面と３Ｃ面が合掌形状に重貼された重貼部６の中間を中心２に、合掌の下部に手を当て強力に左右に圧し開き平担としたものが注ぎ口折畳部４で、引き出すことにより三角となる折り目７を備えている。【００１９】図５は、注ぎ目折畳部裏面正面図である。
３Ｄ面側より見た注ぎ口部４裏面には３Ａの半分面と３Ｃの半分面が、３Ａの前述の残面と３Ｃの残面が重貼部６を中心２に左右に展開されて在り、上部に各々切込が用意された剥離部５が在り、剥離して前方又は手前に引き起せば折り目７で折れ曲がり空隙をつくる。【００２０】図６は、切込部剥離を示す側断面図である。
切込部５は３Ｂ面と３Ｃ面が保護接着９で貼合されているので、容易に点線切込みに沿って３Ｂ面より剥離し、剥離により空隙が出現する。【００２１】図７は、剥離部より注ぎ口の押出を示す側断面図。
剥離で出現した空隙より、重貼６された３Ｂ面の注ぎ口折畳部４を指先で押し出し更なる間隙を拡大し、注ぎ口２の引き出しを容易にする。【００２２】図８は、注ぎ口完成斜視図である。
注ぎ口折畳部４を充分に引き出せば、折り目７により三角形状の先端が注ぎ口２となる機能で完成する。注ぎ口２の３Ａ面と３Ｃ面に在る切込部５で折り曲げた剥離紙片は、直立した状態に戻せば外観に何ら奇異は残らない。
【図面の簡単な説明】
【００２３】
【図１】  シルバーパック容器の斜視図。
【図２】  シルバーパック容器の平面展開図。
【図３Ａ】  容器表面接着強弱展開図。
【図３Ｂ】  容器内面接着強弱展開図。
【図４】  注ぎ口折畳部表面斜視図。
【図５】  注ぎ口折畳部裏面正面図。
【図６】  切込部剥離を示す側断面図。
【図７】  剥離部より注ぎ口の押出を示す側断面図。
【図８】  注ぎ口完成斜視図。
【符号の説明】
【００２４】  １      シルバーパック容器          ４  注ぎ口折畳部
２      注ぎ口                      ５  オープン切込剥離部
３Ａ    容器面                      ６  重貼部
３Ｂ    同                          ７  折り目
３Ｃ    同                          ８  広幅接着
３Ｄ    同                          ９  希薄又は狭幅接着
３Ｄａ  短縮部
【図１】
2006248607.tif 000003
【図２】
2006248607.tif 000004
【図３Ａ】
2006248607.tif 000005
【図３Ｂ】
2006248607.tif 000006
【図４】
2006248607.tif 000007
【図５】
2006248607.tif 000008
【図６】
2006248607.tif 000009
【図７】
2006248607.tif 000010
【図８】
2006248607.tif 000011
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
角筒状の容器本体の下端部四辺を内側に折り畳み封止で底部を形成し、上端部四辺の対向する第１の二辺を内側に合掌型に折り曲げ、残り第２の二辺の上下幅を短縮し第１辺の接着部を設け内側に折り曲げ上部開口部を形成し、第１及び第２の各辺上端部内面を接着して重貼し内容液を封止する紙パック容器。
【請求項２】
上端合掌型重貼部を横径中央に至るまで開離し、閉塞された第２辺に設けられた折り畳み注ぎ口の露呈により、注ぎ口を取り出し内容液を注出する。
【請求項３】
前記上部開口部の第１の二辺の内の一辺に、上から下に向け注ぎ口上端を超える位置まで一定幅と長さの剥離部を設け、他の一辺に剥離部に対面する上端に切削部を設け剥離を容易にすることを特徴とする紙パック容器。
【手続補正２】
【補正対象書類名】明細書
【補正対象項目名】全文
【補正方法】変更
【補正の内容】
【発明の詳細な説明】
【技術分野】
【０００１】本発明は、紙製包装容器に関するものである。
【背景技術】
【０００２】従来、紙製包装容器を紙パックの名称で拡く大量に使用され、特に牛乳やジュース類などの飲料には必需なもので有るが、使用に当たって各種な難点が在り、不便解消の為に幾多の発明や新案が出願されている。文献的には例えば、特開平１１−７０９３５号広報には、注ぎ口の開口を容易にするため、注ぎ口の内面紙を折返し間隙を作るものや、実用新案登録第３０９６１２５号広報には、開口部に翼を設け翼を引張って開口する方法が記載されている。
【発明の開示】
【発明が解決しようとする課題】
【０００３】上記の特許文献は開口問題を主題とした出願であり、これら文献以外にも類似主題の出願が多数有る。注ぎ口に全く手を触れず注ぎ口の周囲に紐を付け、紐を引っ張って衛生的に開口するものも有る。【０００４】多数の出願の大概は、若・壮年を基礎的に対象として有り、握力や感覚は万全で有ることを前提にして研究考案されている。
本発明は衰えた握力・視力・感覚となった高令者で、若・壮年者には理解し難い高年令の消費利用者を対象にしたものである。【０００５】従前は家族制の充実から老年に至れば、若年の家族が多面で補助保護を行ったが、近来に於ては年令層別に分住し働力補助はほとんど無い実状であるうえ、健康改善で長寿が進み老年家族の増加が一般的となっている。【０００６】老年家族も、牛乳、フルーツジース、健康茶などを日常的に利用消費していて、その容器は一般の若・壮年層と同様の紙パックに収納されたものを用い何ら保護されていない。
高令者即ちシルバー族は毎日紙パックを使用しながら、若・壮年層でも苦渋する密着封止の糊つけ部を困苦しながらこじ開けて開口する容器を使用し、適応品を選択する余地のない単独唯一の機能の現在の紙バックを使用しているが、本問題は万人が最終には絶対的に到達に至る衰え問題であり、放置されてはならない問題である。【０００７】使用に当たり問題となる難関とは握力、神経、視力の劣化による困難である。具体的に表記すれば第一難関は注ぎ口を取り出す開口部の封止接着を破壊し左右に開放（オープン）に必要な破壊力の握力の劣りで力量が不足し開放に難渋することであり、第二に左右に開く折畳状態の注ぎ口部の上端となる区分間隙の発見が、劣った視力と注意力とが発見を困難とすることである。【０００８】本発明は時代の経過と共に増加し続ける老令シルバー族用の紙パックの提案であり、従来の製造工程に順応する作業或は部品を用いて所要の目的を達成するもので、経済的にも加重されずに実施できるものである。。
【課題を解決するための手段】
【０００９】従来の、紙パックは破損に耐えられる肉厚の紙質で、四面正方形に構成された底のある箱型で、上部が２面を含掌造りに貼合わせた形態である。
飲料注出には合掌造りの一端の２重に接着された合掌三角形を、両手で接着を破壊して平板状に圧し開けて折り畳まれていた注ぎ口を露呈するものである。【００１０】露呈された注ぎ口の上端は、強力な接着圧力で他辺に没入し上端区分が紛ぎらはしく老令弱視には発見摘出が非常な困難作業となる。【００１１】注ぎ口区画を発見後も難題は継続され、発見区画を他辺と分離し折り畳まれた注ぎ口の引き出し手段の工夫である。ある時は小物を差し挟みこじ開け、又は瓜先で掘り出すなどの方法を用いている。【００１２】本発明はこれらの難題を解決するため、上端開口部の重貼辺に剥離部と切削部を設け開口第１作業として剥離部の剥離を行う。
【発明の効果】
【００１３】第１作業の剥離部の剥離は上端接着部の接着面の剥離で、即ち接着面の減少であって接着効力の減少となり、開口のためのオープンに握力が少なくて済むい事になる。これは高令者の握力で充分に開口できることである。
又、本発明のオープン用切込装置は、従来の紙パック製作工程に大きな工程変化や増加は無く、設備資金の追加も必要とせずに採用可能な最適な改良である。
【発明を実施するための最良の形態】
【００１４】次に、本発明の実施の形態について、図面を参照しながら説明する。
【実施例１】図１は、本実施例に係る紙製シルバーパック容器１の斜視図である。
紙製シルバーパック容器１は、四面正方形で下端部を内側に折り畳み封止で底部を形成し、上端部四辺の２辺３Ａと３Ｂを内側に合掌造りに折り曲げ、他の二辺の上下幅を短縮し合掌造りの下に折り曲げ、四辺を上端で結束し接着剤で接着して重貼６する。
重貼６された接着部の開口部となる位置に切り込みによる剥離部５を設ける。【００１５】図２は、容器上端部側断面図である。
角筒状容器の一辺３Ａと他の一辺３Ｂが合掌造りに構成され上端は接着剤で重貼される。一辺３Ａの適当なる位置に一定の幅をもつ、上から下に向け切り込みによる剥離部５を設け、他の一辺３Ｂに剥離部５に対峙する位置の上端を切削した切削部８を設ける。【００１６】図３は、容器上端部平面展開図である。
角筒状容器１の上端部における剥離部５及び切削部８又注ぎ口４の状態を表すもので、各辺は折り目７により折り畳まれる。【００１７】図４は、容器上端部剥離状態側断面図である。
容器の一辺３Ａの先端に設けた剥離部５を剥離した状態を示すもので、剥離部５を一定のの角度に折り曲げて倒すと、閉塞されていた折り畳んだ注ぎ口２が露呈する。【００１８】図５は、容器上端部剥離状態斜視図である。
図４を実施状態に斜視したもので、開口部に当たる上端重貼６接着部の約３分の１が剥離され接着域の減少が確認でき、特に剥離が図示の右先端に近い処に始まることは、接着域の少ない処から始まることで接着力が弱く強い力を必要とせずに開口部をオープンできるものである。【００１９】図６は、容器上端部開口状態斜視図である。
合掌造りの一辺３Ａと他辺３Ｂの両端を圧し開きオープンし、折り畳まれていた注ぎ口２の上端が伸延し直線で出現する。一辺３Ａにある剥離部５が外側に倒されているので空隙が出現し、指先を入れ注ぎ口４上端に当て手前に引き出せば容易に注ぎ口４が引き出せる。【００２０】図７は、容器上端部注ぎ口完成図である。
注ぎ口４を引き出し内容の飲料品を注ぎ終われば、注ぎ口４を再び折り畳んで旧状に戻し貯蔵する。剥離部５は現状のまま放置するも又旧に近い状態に戻し貯蔵するも自由である。
【図面の簡単な説明】
【００２１】
【図１】    シルバーパック容器の斜視図。
【図２】    容器上端部側断面図。
【図３】    容器上端部平面展開図。
【図４】    容器上端部剥離状態側断面図。
【図５】    容器上端剥離状態斜視図。
【図６】    容器上端開口状態斜視図。
【図７】    注ぎ口引き出し完成図。
【符号の説明】
【００２２】  １      シルバーパック容器          ５      剥離部
２      折り畳み注ぎ口              ６      重貼部
３Ａ    容器壁面                    ７      折り畳み用折り目
３Ｂ    同                          ８      切削部
４      注ぎ口
【手続補正３】
【補正対象書類名】図面
【補正対象項目名】全図
【補正方法】変更
【補正の内容】
【図１】
2006248607.tif 000012
【図２】
2006248607.tif 000013
【図３】
2006248607.tif 000014
【図４】
2006248607.tif 000015
【図５】
2006248607.tif 000016
【図６】
2006248607.tif 000017
【図７】
2006248607.tif 000018